(57)【要約】【課題】インターロック可能な携帯用医療装置の改良されたシステム及びクランプ機構体の提供。【解決手段】第１の携帯用医療装置１０は、第１の医療装置１２を第２の医療装置１４にインターロックする、インターロッキングシステムでの使用に対して構成される。第１の装置は、両側面１７Ｌ、１７Ｒを有するハウジングと、選択要素と、ブロッキング要素と、任意のクランプ機構体２２とを含む。両側面の少なくとも一方は、第２の医療装置を着脱可能に取り付ける結合可能要素１０２を含む。ブロッキング要素１１２は、第１の装置および第２の装置が取り付けられると、第３の医療装置が、第１の装置および第２の装置に取り付けられることを阻止する。クランプ２２は、クランプが支持部材に取り付けられたときに、第２の装置の取り付けを第１の装置の一方の側面だけに制限する。クランプは、クランプシャフト３４のスライドラチェット軸方向運動を可能にする。【選択図】図２Ａ
2010259835.tif 000002
【特許請求の範囲】
【請求項１】
隣り合わせの関係で複数の携帯用医療装置をインターロックするシステムであって、該システムが、
第１の医療装置および第２の医療装置を含む複数の医療装置を備え、
第１の医療装置が、両側面を有するハウジングを含み、両側面の少なくとも一方が結合可能要素を含み、
第２の医療装置が、両側面を有するハウジングを含み、第２の医療装置のハウジングの両側面の少なくとも一方が、第１の医療装置の結合可能要素に着脱可能に相互接続し、かつ第１の医療装置および第２の医療装置を取り付ける結合可能要素を含み、
医療装置の少なくとも１つが、第２の医療装置の取り付けを、第１の医療装置のハウジングの両側面の一方だけに制限する選択手段を含む、システム。
【請求項２】
医療装置の少なくとも１つが、選択手段を構成する単一の結合可能要素だけを設けられる、請求項１に記載のシステム。
【請求項３】
第１の医療装置が、２個の結合可能要素を設けられ、１つの結合可能要素が、第１の医療装置のハウジングの両側面のそれぞれに位置する、請求項１に記載のシステム。
【請求項４】
選択手段が、ロッキング要素を含み、該ロッキング要素は、第１の医療装置が支持部材に取り付けられると、第１の医療装置への第２の医療装置の取り付けを、第１の医療装置の両側面の一方だけに制限する、請求項３に記載のシステム。
【請求項５】
第１の医療装置が、少なくとも１台の医療装置を支持部材に搭載するクランプ機構体を含む、請求項４に記載のシステム。
【請求項６】
クランプ機構体が、ロッキング要素を摺動的に収容する穴を有し、ロッキング要素は、クランプ本体が支持部材に付加されたとき、医療装置の構成要素に力を印加するように構成される、請求項５に記載のシステム。
【請求項７】
クランプ機構体は、スライドラチェット手段を有し、該スライドラチェット手段は、ユーザが、クランプ機構体に直線力を加えることによって、支持部材の周りでクランプ機構体を閉めることを可能にする、請求項５に記載のシステム。
【請求項８】
医療装置の少なくとも１つが、ブロッキング手段を含み、該ブロッキング手段は、第１の医療装置と第２の医療装置が取り付けられると、第３の医療装置の第１または第２のいずれかの医療装置への取り付けを妨げる、請求項１に記載のシステム。
【請求項９】
医療装置の少なくとも１つが、ラッチ要素を含み、該ラッチ要素は、第１の医療装置と第２の医療装置が取り付けられると、第１の医療装置と第２の医療装置を共に着脱可能にロックする、請求項１に記載のシステム。
【請求項１０】
解除要素が、ラッチ要素と動作可能に結合され、解除要素は、ユーザがラッチ要素を選択的に外すことを可能にする、請求項９に記載のシステム。
【請求項１１】
第１の医療装置がラッチ要素を含み、第１の医療装置が、２個の結合可能要素を設けられ、１つの結合可能要素が、第１の医療装置のハウジングの両側面のそれぞれに位置し、ラッチ要素が、取り付けられた第２の医療装置に隣接しない第１の医療装置のハウジングの側面から延び、かつ第１の医療装置と第２の医療装置が取り付けられると、第３の医療装置が、第１の医療装置に付加されることを妨げる位置に固定される、請求項９に記載のシステム。
【請求項１２】
第１の医療装置および第２の医療装置それぞれが、トランシーバを含み、該トランシーバが、第１の医療装置と第２の医療装置が取り付けられると、医療装置間の通信のため揃えられる、請求項１に記載のシステム。
【請求項１３】
隣り合わせの関係で複数の携帯用医療装置をインターロックするシステムであって、該システムが、
第１の医療装置および第２の医療装置を含む複数の医療装置を備え、
第１の医療装置が、両側面を有するハウジングを含み、両側面の少なくとも一方が、結合可能要素を含み、
第２の医療装置が、両側面を有するハウジングを含み、第２の医療装置のハウジングの両側面の少なくとも一方が、第１の医療装置のハウジングの結合可能要素に着脱可能に相互接続し、かつ第１の医療装置および第２の医療装置を取り付ける結合可能要素を含み、
医療装置の少なくとも１つは、第１の医療装置と第２の医療装置が取り付けられると、第３の医療装置が、第１または第２の医療装置のいずれかに取り付けられることを妨げるブロッキング手段を含む、システム。
【請求項１４】
医療装置の少なくとも１つが、ブロッキング手段を構成する単一の結合可能要素だけを設けられる、請求項１３に記載のシステム。
【請求項１５】
第１の医療装置が、２個の結合可能要素を設けられ、第１の結合可能要素が、第１の医療装置のハウジングの側面の一方にあり、第２の結合可能要素が、第１の医療装置のハウジングの反対側の側面にある、請求項１３に記載のシステム。
【請求項１６】
ブロッキング手段が、第１の医療装置に結合されたブロッキング要素を含み、該ブロッキング要素は、第１の医療装置と第２の医療装置が取り付けられると、第３の医療装置の第１の医療装置への取り付けを妨げる、請求項１５に記載のシステム。
【請求項１７】
医療装置の少なくとも１つが、ラッチ要素を含み、該ラッチ要素は、第１の医療装置と第２の医療装置が取り付けられると、第１の医療装置と第２の医療装置を共に着脱可能にロックする、請求項１３に記載のシステム。
【請求項１８】
解除要素が、ラッチ要素と動作可能に結合され、解除要素は、ユーザがラッチ要素を選択的に外すことを可能にする、請求項１７に記載のシステム。
【請求項１９】
第１の医療装置がラッチ要素を含み、第１の医療装置が、２個の結合可能要素を設けられ、１つの結合可能要素が、第１の医療装置のハウジングの両側面のそれぞれに位置し、ブロッキング手段が、ラッチ要素を含み、該ラッチ要素が、取り付けられた第２の医療装置に隣接しない第１の医療装置のハウジングの側面から延び、ラッチ要素は、第１の医療装置と第２の医療装置が取り付けられると、第３の医療装置が第１の医療装置に付加されることを妨げる位置に固定される、請求項１７に記載のシステム。
【請求項２０】
第１の医療装置および第２の医療装置それぞれが、トランシーバを含み、該トランシーバが、第１の医療装置と第２の医療装置が取り付けられると、医療装置間の通信のため揃えられる、請求項１３に記載のシステム。
【請求項２１】
医療装置を支持部材に搭載するクランプ機構体であって、
第１の顎形部分、第２の顎形部分、および支持部材を収容するように構成された第１の顎形部分と第２の顎形部分との間の開口部を画定する、クランプ本体と、
開口部に延びる前端、後端、および長手軸を有しかつクランプ本体の第１の顎形部分の軸方向運動のため搭載された中間部を含む、クランプシャフトと、
クランプシャフトの中間部とクランプ本体との間に動作可能に入れられ、かつラチェット歯および爪を備える、ラチェットおよび爪手段と、
爪およびラチェット歯を付勢力で柔軟に係合させる、付勢手段とを備え、
付勢手段、ラチェット歯、および爪が、開口部へ向かう方向におけるクランプシャフトのスライドラチェット軸方向運動を可能にするために、付勢手段の付勢力に打ち勝つため十分に足りる軸方向力をクランプシャフトに印加すると、通常は、開口部から遠ざかる方向でクランプシャフトの軸方向運動に対抗するように構成されかつ配置される、クランプ機構体。
【請求項２２】
クランプ本体が、ロッキング要素を摺動的に収容する穴を有し、ロッキング要素は、クランプ本体が支持部材に付けられるときに、医療装置の構成要素に力を印加するように構成される、請求項２１に記載のクランプ機構体。
【請求項２３】
第１の顎形部分および第２の顎形部分が動かない、請求項２１に記載のクランプ機構体。
【請求項２４】
クランプ本体の第１の顎形部分が、クランプシャフトを摺動的に収容するクランプシャフト収容孔を有する、請求項２１に記載のクランプ機構体。
【請求項２５】
ラチェット歯が、クランプシャフトの中間部に形成された雄ネジであり、雄ネジが、クランプシャフトの長手軸と鋭角をなすため後方に延びる前方リード逃げ面と、クランプシャフトの長手軸と垂直に延びる後方ロード逃げ面とを有する、請求項２１に記載のクランプ機構体。
【請求項２６】
付勢手段の付勢力に打ち勝ち、かつ爪とラチェット歯を外し、それによって、開口部から遠ざかる方向にクランプシャフトの軸方向運動を可能にする、解除機構体をさらに備える、請求項２１に記載のクランプ機構体。
【請求項２７】
解除機構体と爪手段が単一の本体である、請求項２６に記載のクランプ機構体。
【請求項２８】
第１の顎形部分が、解除孔を第１の顎形部分内に有し、解除機構体が、解除孔に摺動的に搭載された細長いピンである、請求項２６に記載のクランプ機構体。
【請求項２９】
解除機構体が、該解除機構体を通って延在しクランプシャフトを収容する調節スロットを有し、クランプシャフトのラチェット部が、外径をもつネジを有し、調節スロットが、クランプシャフト上のネジの外径より大きい長さを有し、爪が、クランプシャフトのラチェット部を結合係合するネジをその上に有する調節スロットの壁の一部分である、請求項２６に記載のクランプ機構体。
【請求項３０】
クランプシャフトの第２の端に取り付けられたハンドノブをさらに備える、請求項２１に記載のクランプ機構体。
【請求項３１】
ハンドノブとクランプシャフトとの間に動作可能に入れられるクラッチ機構体をさらに備え、該クラッチ機構体が、所定のトルク値を超えるクランプシャフトのポールへの過剰締め付けを防止するように構成される、請求項３０に記載のクランプ機構体。
【請求項３２】
クランプ機構体が、医療装置と回転可能に結合されるように構成される、請求項２１に記載のクランプ機構体。
【請求項３３】
クランプ機構体が、ピボットラッチを含み、該ピボットラッチが、医療装置に対する複数の回転位置のうちの選択位置に、クランプ機構体を選択的にロックするように構成される、請求項３２に記載のクランプ機構体。
【請求項３４】
隣り合わせの関係で、第１の医療装置を第２の医療装置にインターロックするためのインターロッキングシステムで使用するように構成された、第１の携帯用医療装置であって、前記第１の携帯用医療装置が、
両側面を有するハウジングを備え、両側面の少なくとも一方が、第２の医療装置を第１の医療装置へ着脱可能に相互接続するように構成された結合可能要素を含み、前記第１の携帯用医療装置がさらに、
第２の医療装置の取り付けを、第１の医療装置のハウジングの両側面の一方だけに制限する選択手段を備える、医療装置。
【請求項３５】
第１の医療装置が、選択手段を構成する単一の結合可能要素だけを設けられる、請求項３４に記載の医療装置。
【請求項３６】
ハウジングの単一の結合可能要素の反対側に位置するポンプ機構体をさらに備える、請求項３５に記載の医療装置。
【請求項３７】
第１の医療装置が、２個の結合可能要素を設けられ、一つの結合可能要素が、ハウジングの両側のそれぞれに位置する、請求項３４に記載の医療装置。
【請求項３８】
２個のポンプ機構体をさらに備え、一つのポンプ機構体が、ハウジングの両側のそれぞれに位置する、請求項３７に記載の医療装置。
【請求項３９】
選択手段が、ロッキング要素を含み、該ロッキング要素は、第１の医療装置が支持部材に取り付けられると、第１の医療装置への第２の医療装置の取り付けを、第１の医療装置の両側面のうちの一方だけに制限する、請求項３７に記載の医療装置。
【請求項４０】
第１の医療装置が、少なくとも１台の医療装置を支持部材に搭載するクランプ機構体を含む、請求項３９に記載の医療装置。
【請求項４１】
クランプ機構体が、ロッキング要素を摺動的に収容する穴を有し、ロッキング要素は、クランプ本体が支持部材に付けられたときに、第１の医療装置の構成要素に力を印加するように構成される、請求項４０に記載の医療装置。
【請求項４２】
クランプ機構体が、スライドラチェット手段を有し、該スライドラチェット手段は、ユーザが、クランプ機構体に直線力を加えることによって支持部材の周りでクランプ機構体を閉めることを可能にする、請求項４０に記載の医療装置。
【請求項４３】
第１の医療装置が、ブロッキング手段を含み、該ブロッキング手段は、第１の医療装置と第２の医療装置が取り付けられると、第３の医療装置の第１または第２のいずれかの医療装置への取り付けを妨げる、請求項３４に記載の医療装置。
【請求項４４】
第１の医療装置が、ラッチ要素を含み、該ラッチ要素は、第１の医療装置と第２の医療装置が取り付けられると、第１の医療装置と第２の医療装置を共に着脱可能にロックする、請求項３４に記載の医療装置。
【請求項４５】
解除要素が、ラッチ要素と動作可能に結合され、解除要素は、ユーザがラッチ要素を選択的に外すことを可能にする、請求項４４に記載の医療装置。
【請求項４６】
第１の医療装置がラッチ要素を含み、第１の医療装置が、２個の結合可能要素を設けられ、１つの結合可能要素が、第１の医療装置のハウジングの両側面のそれぞれに位置し、ラッチ要素が、取り付けられた第２の医療装置に隣接しない第１の医療装置のハウジングの側面から延び、かつ第１の医療装置と第２の医療装置が取り付けられると、第３の医療装置が、第１の医療装置に付加されることを妨げる位置に固定される、請求項４４に記載の医療装置。
【請求項４７】
第１の医療装置が、トランシーバを含み、該トランシーバが、第２の医療装置の対応するトランシーバと通信するように構成され、トランシーバおよび対応するトランシーバは、第１の医療装置と第２の医療装置が取り付けられると、医療装置間の通信のため揃えられる、請求項３４に記載の医療装置。
【請求項４８】
隣り合わせの関係で、第１の医療装置を第２の医療装置にインターロックするためのインターロッキングシステムで使用するように構成された、第１の携帯用医療装置であって、前記第１の携帯用医療装置が、
両側面を有するハウジングを備え、両側面の少なくとも一方が、第２の医療装置を第１の医療装置へ着脱可能に相互接続するように構成された結合可能要素を含み、前記第１の携帯用医療装置がさらに、
第１の医療装置と第２の医療装置が取り付けられると、第３の医療装置が第１の医療装置に付加することを妨げるブロッキング手段を備える、医療装置。
【請求項４９】
第１の医療装置が、ブロッキング手段を構成する単一の結合可能要素だけを設けられる、請求項４８に記載の医療装置。
【請求項５０】
ハウジングの単一の結合可能要素の反対側に位置するポンプ機構体をさらに備える、請求項４９に記載の医療装置。
【請求項５１】
第１の医療装置が、２個の結合可能要素を設けられ、１つの結合可能要素が、第１の医療装置のハウジングの両側のそれぞれに位置する、請求項４８に記載の医療装置。
【請求項５２】
２個のポンプ機構体をさらに備え、１つのポンプ機構体が、第１の医療装置のハウジングの両側面のそれぞれに位置する、請求項５１に記載の医療装置。
【請求項５３】
ブロッキング手段が、第１の医療装置に結合されたブロッキング要素を含み、該ブロッキング要素は、第１の医療装置と第２の医療装置が取り付けられると、第３の医療装置の第１の医療装置への取り付けを妨げる、請求項５１に記載の医療装置。
【請求項５４】
第１の医療装置が、ラッチ要素を含み、該ラッチ要素は、第１の医療装置と第２の医療装置が取り付けられると、第１の医療装置と第２の医療装置を共に着脱可能にロックする、請求項５１に記載の医療装置。
【請求項５５】
解除要素が、ラッチ要素と動作可能に結合され、解除要素は、ユーザがラッチ要素を選択的に外すことを可能にする、請求項５４に記載の医療装置。
【請求項５６】
第１の医療装置が、２個の結合可能要素を設けられ、１つの結合可能要素が、第１の医療装置のハウジングの両側面のそれぞれに位置し、ブロッキング手段が、ラッチ要素を含み、該ラッチ要素が、取り付けられた第２の医療装置に隣接しない第１の医療装置のハウジングの側面から延び、ラッチ要素は、第１の医療装置と第２の医療装置が取り付けられると、第３の医療装置が第１の医療装置に付加されることを妨げる位置に固定される、請求項５４に記載の医療装置。
【請求項５７】
第１の医療装置が、トランシーバを含む、該トランシーバが、第２の医療装置の対応するトランシーバと通信するように構成され、トランシーバおよび対応するトランシーバは、第１の医療装置と第２の医療装置が取り付けられると、医療装置間の通信のため揃えられる、請求項４８に記載の医療装置。
【請求項５８】
医療装置を支持部材に搭載するクランプ機構体であって、
第１の顎形部分、第２の顎形部分、および支持部材を収容するように構成された第１の顎形部分と第２の顎形部分との間の開口部を画定する、クランプ本体と、
開口部に延びる前端、後端、および長手軸を有しかつクランプ本体の第１の顎形部分の上の軸方向運動のため搭載された中間部を含む、クランプシャフトと、
クランプシャフトの中間部とクランプ本体との間に動作可能に入れられ、かつラチェット歯および爪を備える、ラチェットおよび爪手段と、
爪およびラチェット歯を付勢力で柔軟に係合させる、付勢手段とを備え、
付勢手段、ラチェット歯、および爪は、通常は、開口部から遠ざかる方向でクランプシャフトの軸方向運動に対抗するように構成されかつ配置され、
クランプ機構体がさらに、
付勢手段の付勢力に打ち勝ち、かつ爪およびラチェット歯を外し、それによって、開口部から遠ざかる方向でクランプシャフトの軸方向運動を可能にする、解除機構体を備え、
解除機構体と爪手段が単一の本体である、クランプ機構体。
【請求項５９】
ラチェット歯が、クランプシャフトの中間部に形成された雄ネジである、請求項５８に記載のクランプ機構体。
【請求項６０】
雄ネジが、クランプシャフトの長手軸と鋭角をなすため後方に延びる前方リード逃げ面と、クランプシャフトの長手軸と垂直に延びる後方ロード逃げ面とを有する、請求項５９に記載のクランプ機構体。
【請求項６１】
クランプ本体の第１の顎形部分が、クランプシャフトを摺動的に収容するクランプシャフト収容孔を有する、請求項５８に記載のクランプ機構体。
【請求項６２】
第１の顎形部分が、解除孔を第１の顎形部分内に有し、解除機構体が、解除孔に摺動的に搭載された細長いピンである、請求項５８に記載のクランプ機構体。
【請求項６３】
解除機構体が、クランプシャフトを収容するために解除機構体を通って延在する調節スロットを有し、クランプシャフトのラチェット部が、外径をもつネジを有し、調節スロットが、クランプシャフト上のネジの外径より大きい長さを有し、爪が、クランプシャフトのラチェット部を結合係合するネジをその上に有する調節スロットの壁の一部分である、請求項５８に記載のクランプ機構体。
【請求項６４】
解除機構体が、第１の顎形部分に旋回可能に搭載された解除レバーを含む、請求項５８に記載のクランプ機構体。
【請求項６５】
解除レバーおよび爪手段を含む解除機構体が、第１の顎形部分の外側に位置する、請求項６４に記載のクランプ機構体。
【請求項６６】
クランプシャフトの第２の端に取り付けられたハンドノブをさらに備える、請求項５８に記載のクランプ機構体。
【請求項６７】
ハンドノブとクランプシャフトとの間に動作可能に入れられたクラッチ機構体をさらに備え、該クラッチ機構体が、所定のトルク値を超えるクランプシャフトのポールへの過剰締め付けを防止するように構成される、請求項６６に記載のクランプ機構体。
【請求項６８】
クラッチ機構体が、医療装置と回転可能に結合されるように構成される、請求項５８に記載のクランプ機構体。
【請求項６９】
クランプ機構体が、ピボットラッチを含み、該ピボットラッチが、医療装置に対する複数の回転位置のうちの選択位置に、クランプ機構体を選択的にロックするように構成される、請求項６８に記載のクランプ機構体。
【請求項７０】
トランシーバが、互いに無線通信するように構成される、請求項４７に記載の医療装置。
【請求項７１】
トランシーバが赤外線トランシーバである、請求項７０に記載の医療装置。
【請求項７２】
第１の医療装置の結合可能要素が、傾斜部を含み、該傾斜部は、前記結合可能要素が正確に揃えられていないとき、第１の医療装置の結合可能要素が、第２の医療装置の結合可能要素と結合することを可能にする、請求項１に記載の医療装置。
【請求項７３】
第２の医療装置の結合可能要素が、テーパ部を含み、該テーパ部は、前記結合可能要素が正確に揃えられていないとき、第１の医療装置の結合可能要素がテーパ部と結合することを可能にする、請求項１に記載の医療装置。
【請求項７４】
結合可能要素が、対応する雄型Ｔスライドと雌型Ｔスロットである、請求項１に記載の医療装置。
【請求項７５】
第１の医療装置の結合可能要素が、傾斜部を含み、該傾斜部は、前記結合可能要素が正確に揃えられていないとき、第２の医療装置の結合可能要素が傾斜部と結合することを可能にする、請求項１３に記載の医療装置。
【請求項７６】
第２の医療装置の結合可能要素が、テーパ部を含み、該テーパ部は、前記結合可能要素が正確に揃えられていないとき、第１の医療装置の結合可能要素がテーパ部と結合することを可能にする、請求項１３に記載の医療装置。
【請求項７７】
結合可能要素が、対応する雄型Ｔスライドと雌型Ｔスロットである、請求項１３に記載の医療装置。
【請求項７８】
結合可能要素が、傾斜部を含み、該傾斜部は、第２の医療装置と第１の医療装置が正確に揃えられていないとき、結合可能要素が、第２の医療装置を第１の医療装置へ着脱可能に相互接続することを可能にする、請求項３４に記載の医療装置。
【請求項７９】
結合可能要素が、テーパ部を含み、該テーパ部は、第２の医療装置と第１の医療装置が正確に揃えられていないとき、結合可能要素が、第２の医療装置を第１の医療装置へ着脱可能に相互接続することを可能にする、請求項３４に記載の医療装置。
【請求項８０】
結合可能要素がＴスロットである、請求項３４に記載の医療装置。
【請求項８１】
結合可能要素が、傾斜部を含み、該傾斜部は、第２の医療装置と第１の医療装置が正確に揃えられていないとき、結合可能要素が、第２の医療装置を第１の医療装置へ着脱可能に相互接続することを可能にする、請求項４８に記載の医療装置。
【請求項８２】
結合可能要素が、テーパ部を含み、該テーパ部は、第２の医療装置と第１の医療装置が正確に揃えられていないとき、結合可能要素が、第２の医療装置を第１の医療装置へ着脱可能に相互接続することを可能にする、請求項４８に記載の医療装置。
【請求項８３】
結合可能要素がＴスロットである、請求項４８に記載の医療装置。
【発明の詳細な説明】
【技術分野】
【０００１】
本発明は、全般的に医療装置の分野に関わり、より詳細には、限定されることはないが輸液ポンプ、モニタ、および診断機器を含む、ポイントオブケア医療装置の分野に関係する。本発明は、患者に近接したポールスタンド、ベッドレール、またはその他の支持構造体に取り付け可能な１台以上の医療装置を含む、携帯ポイントオブケアシステムを提供する。本発明は、医療装置を共にインターロックし、医療装置の望ましくない配置および組み合わせを防止し、医療装置を主支持構造体に取り付け、医療装置間に無線通信を自動的に提供する手段および方法を含む。
【背景技術】
【０００２】
現代の医療行為では、時には、患者のベッドサイドに近い床と棚のスペースが足りなくなるまで、多種多様な診断および治療装置が使用される。医療装置を取り付ける問題に対する１つの知られた解決策は、ポールスタンドの使用である。このようなポールスタンドは、患者または医療関係者が、必要な場所に装置を動かすのを便利にするための車輪をしばしば有するが、車輪付きのポールスタンドは、たとえば、敷居を越える時や、エレベータを降りる時に、不安定になり得る。
【０００３】
一部の製造業者は、米国特許第４，７５６，７０６号および第４，８９８，５７８号に開示されるように、垂直積層構造で中央管理ユニットおよび輸液ポンプモジュールをポールスタンドに取り付けた。垂直積層構造は、関連した静脈（ＩＶ）管の識別、経路選定、および取り扱いを、混乱させ困難にすることがある。製造業者はさらに、米国特許第５，４３１，５０９号に開示されるように、ポールスタンド上の特定の垂直位置での取り付けのための水平配置に、取り替え可能な独立に機能する単一チャネルポンプをインターロックした。米国特許第５，７１３，８５６号、米国特許第５，９４１，８４６号、および米国特許第５，６０１，４４５号は、中央制御ユニットと、複数の水平配置された着脱可能なポンプおよび／またはセンサモジュールを開示する。他の製造業者は、米国特許第５，３７８，２３１号およびＤｅｓ．３６７，５２８に開示されるように、多チャネルポンプを開発した。しかし、大部分の適用では、単一チャネルポンプ、または単一ポンプモジュールが、介護者の要求を十分に満たし、顧客は、一般に、多チャネルポンプまたは複雑なインターロッキング手段の製造コストをカバーするために必要とされる、実質的な料金を支払う気持ちがない。よって、改良された医療装置のシステムの必要性がある。
【発明の概要】
【発明が解決しようとする課題】
【０００４】
本発明の主な目的は、２台の医療装置が１つに連結されることだけを可能にする、インターロック可能な携帯用医療装置の改良されたシステムの提供である。
【０００５】
本発明の別の目的は、インターロック可能な携帯用医療装置の改良されたシステムの提供である。
【０００６】
本発明のさらなる目的は、クランプ機構体が支持部材に取り付けられたときに、第２の医療装置の取り付けを第１の医療装置の一方の側面だけに制限する、医療装置を支持部材に取り付ける、改良されたクランプ機構体の提供である。
【０００７】
本発明のなおさらなる目的は、クランプシャフトのスライドラチェット軸方向運動を可能にする、改良されたクランプ機構体の提供である。
【０００８】
これらの目的およびその他の目的は、当業者に明らかになるであろう。
【課題を解決するための手段】
【０００９】
第１の携帯用医療装置は、第１の医療装置を第２の医療装置にインターロックするインターロッキングシステムでの使用に対して構成される。第１の装置は、両側面を有するハウジングと、選択要素と、ブロッキング要素と、クランプ機構体とを含み、両側面のうちの少なくとも一方は、第２の医療装置を第１の医療装置へ着脱可能に相互接続する第１の結合可能要素を含む。選択要素は、第２の装置の取り付けを第１の装置の両側面の一方だけに制限する。ブロッキング要素は、第１の装置と第２の装置が取り付けられると、第３の医療装置が、第１の装置または第２の装置のいずれかに取り付けられることを阻止する。クランプ機構体は、クランプ機構体が支持部材に取り付けられたとき、第２の装置の取り付けを、第１の装置の一方の側面だけに制限する。クランプ機構体はさらに、クランプシャフトのスライドラチェット軸方向運動を可能にする。
【図面の簡単な説明】
【００１０】
【図１Ａ】本発明による医療装置システムでの使用に対して構成された医療装置の前方斜視図である。
【図１Ｂ】本発明による医療装置システムでの使用に対して構成された別の医療装置の前方斜視図である。
【図２Ａ】２台の医療装置が隣り合わせの関係で１つに連結された、本発明の医療装置システムの一実施形態の後方斜視図である。
【図２Ｂ】２台の医療装置が隣り合わせの関係で１つに連結された、本発明の医療装置システムの別の実施形態の後方斜視図である。
【図３Ａ】本発明のクランプ機構体の分解斜視図である。
【図３Ｂ】図３Ａの線３Ａ−３Ａに沿った本発明のクランプ機構体の側断面図である。
【図４】図２Ｂの装置の部分的な後方分解斜視図である。
【図５Ａ】図２Ｂの装置の部分的な前方分解斜視図である。
【図５Ｂ】図２Ａにおいて見ると右側の装置でもある、図１Ａの装置の部分的な前方分解斜視図である。
【図６】本発明の代替的なクランプ機構体の分解斜視図である。
【発明を実施するための形態】
【００１１】
明細書および図面において、機能または構造が類似するか、もしくは、実質的に同一である構成要素は、類似もしくは同一の参照符号で示される。
【００１２】
本発明の医療装置システム１０（図２Ａ）、１０Ａ（図２Ｂ）は、着脱可能に共一緒にインターロックされ得る、複数の携帯用医療装置１２（図１Ａ）および１４（図１Ｂ）、または、１４Ｌおよび１４Ｒ（図２Ｂ）を含む。装置１２、１４、１４Ｌ、または１４Ｒは、類似した作業を実行する装置でもよく、または、後述のように異なる作業を実行する装置でもよい。簡潔さのため、前方から見たときにシステム１０Ａの左および右にあるそれぞれの位置を示すために名付けられた装置１４Ｌ、１４Ｒは、参照符号１４によって総称されることがある。本発明の文脈において、用語「医療装置」は、患者との間で薬剤または流体を運搬するためにカセット、リザーバ、バイアル瓶、注射器、またはチュービングに作用する装置（たとえば、輸液ポンプ、自己調節鎮痛（ＰＣＡ）もしくは疼痛管理薬剤ポンプ、または吸引ポンプ）、患者の生命兆候もしくはその他のパラメータを監視するモニタ、または、診断装置を含むが、これらに限定されない。
【００１３】
典型的な例示だけのため、医療装置１２、１４、１４Ｌ、および１４Ｒは、すべて輸液ポンプとして開示される。より詳細には、医療装置１２は、単一チャネル輸液ポンプでもよく、医療装置１４Ｌおよび１４Ｒは、デュアルチャネル輸液ポンプでもよい。ポンプ１２および１４は、それぞれハウジング１６および１６Ａを有する。各ハウジング１６、１６Ａは、ほぼ反対側にある側壁１７Ｌ、１７Ｒと、ほぼ反対側にある後壁１８Ｂ、前壁１８Ｆを含む。ユーザインタフェースタッチスクリーン２０は、装置の前方から見え、かつ装置の前方からアクセスできるように、ハウジング１６、１６Ａの前壁に取り付けられる。
【００１４】
図２Ａおよび図２Ｂにおいて最もよく分かるように、医療装置すなわちポンプ１２、１４の少なくとも一方、およびより好ましくは両方が、解除可能なクランプ機構体２２を有し、クランプ機構体２２は、その装置に取り付けられ、装置１２または１４を、テーブルトップエッジすなわちポール２４のような支持構造体または部材に着脱可能に搭載する。本発明の文脈において、「ポール」は、限定されることはないが、細長い棒、レール、管状部材、ポールスタンド上のビームもしくはピン、ベッド、壁、または医療装置を支持するその他の構造体を含むことが理解されるべきである。ポール２４は、限定されることはないが、ほぼ水平方向に延びるベッドレール、またはポールスタンド上でほぼ垂直方向に延びる直立管状部材を含むものとして、種々の知られた方式で構成されかつ方向付けられることができる。簡潔さのためだけに、ポンプ１２のクランプ機構体２２が後述されるが、ポンプ１４のクランプ機構体２２は、もし設けられるならば、実質的に同一でもよい。
【００１５】
図２Ａ、図２Ｂ、図３Ａ、および図３Ｂにおいて最もよく分かるように、本発明のクランプ機構体２２は、旋回可能に、好ましくは着脱可能に、ポンプハウジング１６に取り付けられ、ポール２４を収容するポール収容スロット２８を含む、実質的に剛性のクランプ本体２６を有する。クランプ本体２６は、少なくとも部分的にポール収容スロット２８を取り囲む、ほぼ向かい合う第１の顎形部分３０および第２の顎形部分３２を画定する。当業者は、限定されることなく、ほぼＬ字形、Ｕ字形、Ｊ字形、Ｇ字形、またはＣ字形のクランプ本体を含む、多数の異なるクランプ本体形状が、本発明から逸脱することなく利用されることを、理解するであろう。
【００１６】
クランプシャフト３４は、第１の顎形部分３０に可動式に搭載される。クランプシャフト３４は、両端３６、３８と、それらの間のラチェット部４０とを有する。第１の顎形部分３０は、その中に形成されたクランプシャフト収容孔４２を有し、より好ましくは、それを通して、ブッシング４３と、クランプシャフト３４のラチェット部４０とを収容する。クランプシャフト３４の遠位端３６は、第１の顎形部分３０から第２の顎形部分３２へ向かって延びる。圧力パッド４４は、遠位端３６に接続し、より好ましくは、遠位端３６に付着する。
【００１７】
クランプシャフト３４の近位端３８は、変位手段４６を有し、変位手段４６は、近位端に接続され、クランプシャフト３４を軸方向に選択的に移動させ、クランプシャフト３４にトルクを印加する。当業者は、クランプシャフトを移動または回転させる変位手段４６が、油圧もしくは空気圧シリンダ、電気ステッピングモータ、またはその他の動力付きの変位装置を含み得ることを理解するであろうが、簡単な手動ハンドノブ４８が、クランプシャフト３４に、好ましくは、第１の顎形部分３０の反対側の近位端３８に接続されることができる。
【００１８】
クラッチ機構体５０は、ノブ４８とクランプシャフト３４との間に動作可能に入れられる。クラッチ機構体５０は、ラチェットタイプでもよく、またはクランプシャフトに加えられた締め付けトルクが所定のトルク限界を超えることを防止する、その他のどのような知られたタイプでもよい。ポール２４にポンプ１２、１４を手で取り付ける個人は、ハンドノブ４８にトルクを加える強さの能力が異なる。クラッチ機構体５０は、一貫したクランプ力がポール２４に加えられ、過剰な締め付けを防止することを保証し、このことは、クランプ機構体をポールから解放するために必要とされるトルクが、一貫し、かつ十分に大部分の個人の能力内であることを保証する。
【００１９】
クランプシャフト３４のラチェット部４０は、ラチェット歯を有する。好ましくは、ラチェット歯は、雄ネジ５１を備える。ネジ５１は、本発明から逸脱することなく、どのようなタイプの螺旋ネジでもよいが、より好ましくは、ネジ５１はプルタイプのバットレスネジである。機械技術においてよく知られるように、バットレスネジは、シャフトのネジ軸に対してほぼ垂直である（１０度未満、より好ましくは、約５度から７度、そして典型的には約５度の傾斜が、カッタークリアランスに許容される）圧力、推力、または負荷の逃げ面と、約５０度から４５度であるクリアランス逃げ面、リード逃げ面、またはネジ角度とを有する。好ましくは、本発明において利用されるバットレスネジは、クランプシャフト３４の近位端３８の方へ向けられた圧力逃げ面５２と、クランプシャフト３４の遠位端３６の方へ向けられたリード逃げ面５４とを有する。
【００２０】
選択的に解除可能な位置決め手段、すなわち移動制御手段５６は、クランプ本体２６に可動的に搭載される。移動制御手段５６は、解除ボタン５８を含み、解除ボタン５８は、クランプシャフト３４のネジ５１を結合係合するように構成された少なくとも１つの爪５９と、爪５９をネジ５１と係合させる付勢手段とを有する、解除ボタン５８を含む。解除レバーまたはボタン５８と爪５９は、単一の本体として示されているが、解除レバー５８と爪５９は、別個の部品として設けてもかまわないことが理解されるであろう。解除ボタン５８は、第１の顎形部分３０の穴６０に可動的に搭載される。穴６０は、図示されるようにクリアランスホール４２と交差する。解除ボタン５８は、好ましくは、細長いピンであり、スロット６２がその中を横方向に延びる。スロット６２は、クランプシャフト３４を収容し、クランプシャフト３４上のネジ５１の外径より大きい長さを有する。スロット６２の幅は、ネジ５１の外径より僅かに大きい。スロット６２は、その一部として爪５９を含み、クランプシャフト３４のラチェット部４０を結合係合するネジをその壁に有する。爪５９は、通常は、解除ボタン５８と第１の顎形部分３０との間に動作可能に入れられた（スプリングまたはその他の同様な装置のような）付勢手段６４によって付勢され、クランプシャフト３４のラチェット部４０と結合係合させられる。
【００２１】
動作中、移動制御手段５６は、通常は、ポール収容スロット２８から遠ざかる方向へのクランプシャフト３４の軸方向運動を妨げるように構成されかつ配置される。移動制御手段５６は、さらに、ユーザが、付勢手段６４の付勢力に打ち勝つために十分な軸方向力をクランプシャフト３４に加えることを可能にし、開口部またはポール収容スロット２８へ向かう方向でのクランプシャフト３４のスライドラチェット軸方向運動を可能にする。
【００２２】
代替的に、一部の適用例では、軸方向力がクランプシャフト３４へ不注意に加えられるならば、クランプシャフト３４のスライドラチェット軸方向運動を阻止することが望ましい。この場合、付勢手段６４は、ユーザが移動制御手段５６をさらに停止状態にすることなく、クランプシャフト３４への通常のユーザ力が、クランプシャフト３４のスライドラチェット軸方向運動の原因になることを阻止するために、十分なスプリング力を与えるように選択される。
【００２３】
（スプリングまたはその他の類似した装置のような）付勢手段６６は、第１の顎形部分３０とクランプシャフト３４の突起６８との間に動作可能に入れられる。蛇腹要素７０は、クランプシャフト３４と付勢手段６６を取り囲む。蛇腹要素７０は、ユーザを、クランプシャフト３４および付勢手段６６の可動部との接触から保護する。
【００２４】
図３Ａおよび図４において最もよく分かるように、クランプ機構体２２は、医療装置ハウジング１６Ａまたは１６（図示せず）と回転可能に結合されるように構成される。クランプ機構体２２は、ハウジングラグ７４と回転可能に結合するクランプラグ７２を含む。クランプラグ７２は、形状およびサイズがハウジングラグ７４の耳形凹部７８と対応する、拡張された耳形要素７６を含む。耳形凹部７８は、拡張された耳形要素７６を収容する。クランプ機構体２２が回転させられると、クランプラグ７２は、クランプ機構体２２を医療装置ハウジング１６Ａに回転可能に固定するため、ハウジングラグ７４と結合する。
【００２５】
ピボットラッチ８０は、クランプ本体２６に可動式に搭載される。ピボットラッチ８０は、作業者が、ハウジング１６Ａに対する複数の回転位置のうちの選択位置に、クランプ機構体２２を選択的にロックすることを可能にする。これらの回転位置は、ハウジングラグ７４の凹部８２によって画定される。ピボットラッチ８０は、通常は、ピボットラッチ８０とクランプ本体２６との間に動作可能に入れられた、（スプリングまたはその他の類似した装置のような）付勢手段８４によって付勢され、ハウジングラグ７４の凹部８２と結合係合する。
【００２６】
図３Ａから図５Ａにおいて最もよく分かるように、クランプ本体２６は、穴８６を有し、その中にロッキング要素８８を摺動的に収容する。以下でより詳細に説明されるように、ロッキング要素８８は、クランプ本体２６が支持部材２４（図２Ｂ）に付けられるときに、医療装置１４の構成要素に力を印加する。図示されるように、ロッキング要素８８は、支持接触要素９０を含み、支持接触要素９０は、支持部材２４に接触し、かつ医療装置１４の選択された構成要素を制限された移動範囲にロックする移動ピン９２に接続され、ロッキング要素８８は、さらに、支持接触要素９０と移動ピン９２との間に延在するメイン本体９３を含む。メイン本体９３、支持接触要素９０、および移動ピン９２は、単一の部材として示されているが、当業者は、それらが、本発明から逸脱することなく、別個の構成要素でもよいことを理解するであろう。たとえば、接触要素９０および移動ピン９２は、メイン本体９３に対して移動可能である単一の部材でもよく、または３個の部品すべてが別個の構成要素でもよい。
【００２７】
移動ピン９２は、通常は、メイン本体９３とクランプ本体２６との間に動作可能に入れられた（スプリングまたはその他の類似した装置のような）付勢手段９４によって、ポール収容スロット２８へ向かってハウジング１６Ａから離れる方へ付勢される。ワッシャ９５は、付勢手段９４のシートを提供し、止め輪９７が開口部８６の止め溝９９に差し込まれたとき、開口部８６にメイン本体９３を保持する。ワッシャ９５は穴１０１を有し、その穴の中を移動ピン９２が摺動可能に延びる。よって、クランプ本体２６がハウジング１６Ａに搭載されたとき、付勢手段９４は、同様にハウジング１６Ａとメイン本体９３との間に動作可能に入れられる。
【００２８】
ロッキング要素のその他の構成が考慮される。たとえば、ロッキング要素８８は、摩擦力だけを医療装置１４の選択された構成要素に印加することができる。
【００２９】
図２Ｂ、図４、および図５Ａにおいて最もよく分かるように、医療装置１４は、側壁１７Ｒに位置付けられた第１の結合可能要素１０２と、側壁１７Ｌに位置付けられた第２の結合可能要素１０４とを含む。第１の結合可能１０２は、ハウジング１６Ａ内に雌型Ｔスロットとして形成される。第２の結合可能要素１０４は、ハウジング１６Ａに取り付けられた雄型Ｔスライドとして形成される。代替的に、第１の結合可能要素１０２は、ハウジング１６Ａ内に雌型ダブテールとして形成され、第２の結合可能要素１０４は、ハウジング１６Ａに取り付けられた雄型ダブテールとして形成される。別の代替的な実施形態は、医療装置１４Ｒ、１４Ｌの両側面のうちの少なくとも一方に、もう一方の医療装置の結合可能な要素と着脱可能に相互接続し、かつ第１の医療装置と第２の医療装置を共に取り付ける、結合可能要素を設けるだけである。換言すると、図２Ｂ、図４、図５Ａ、および図５Ｂにおいて使用されない結合可能要素は、取り外されるか、または省略されることができる。
【００３０】
第１の結合可能要素１０２は、その上端に傾斜部１０３を含む。傾斜部１０３は、ユーザが、最初に第１の結合可能要素１０２を第２の結合可能要素１０４と結合するときに、より高い自由度を許容する。同様に、第２の結合可能要素１０４は、その下端にテーパ部１０５を含む。テーパ部１０５は、ユーザが、最初に第１の結合可能要素１０２を第２の結合可能要素１０４と結合するときに、より高い自由度を許容する。このような傾斜部１０３および／またはテーパ部１０５が無いとするならば、第１の結合可能要素１０２および第２の結合可能要素１０４は、適切に共に結合するために正確に揃えられなければならない。
【００３１】
第２の医療装置１４Ｒが実行する臨床的機能またはタスクは異なるかもしれないが、取り付けまたは接続学的特徴に関して、第２の医療装置１４Ｒは、第１の医療装置１４Ｌと実質的に同一である。第２の医療装置１４Ｒは、第１の医療装置１４Ｌの対応する第１の結合可能要素１０２に着脱可能に相互接続する、すなわち、第１の医療装置１４Ｌと第２の医療装置１４Ｒを取り付ける、側壁１７Ｌに位置付けられた第２の結合可能要素１０４を含む。
【００３２】
第１の医療装置１４Ｌと第２の医療装置１４Ｒが連結されると、第２の医療装置１４Ｒの側壁１７Ｌにおいてラッチポート１０７を通る延在するラッチ要素１０６は、第１の医療装置１４Ｌの側壁１７Ｒ上の対応するラッチノッチ１０８と結合する。ラッチ要素１０６は、第１の装置１４Ｌと第２の装置１４Ｒを共に着脱可能にロックし、第１の結合可能要素１０２と第２の結合可能要素１０４が切り離されることを防止する。
【００３３】
ラッチ要素１０６は、移動プレート１１０の一部として形成される。移動プレート１１０は、装置１４の両方の側壁１７Ｌおよび１７Ｒを通って延在する。移動プレート１１０は、（スプリングまたはその他の類似した装置のような）付勢手段１１１をさらに含み、付勢手段１１１は、移動プレート１１０とハウジング１６Ａとの間に動作可能に入れられ、ラッチ要素１０６をラッチノッチ１０８へ向かって側方に付勢する。ラッチ要素１０６が対応するラッチノッチ１０８に係合されるとき、移動プレート１１０は、ハウジング１６Ａと側壁１７Ｌおよび１７Ｒに対して僅かに変位させられる。この変位は、移動プレート１１０のブロッキング要素１１２を、第２の医療装置１４Ｒの側壁１７Ｌにおいてブロッキングポート１１４通って延びさせる。ブロッキング要素１１２が延長されると、さらなる医療装置が、第２の医療装置１４Ｒに連結されることはない。
【００３４】
図１Ａ、図４、および図５Ａにおいて最もよく分かるように、ラッチポスト１０９は、移動プレート１１０の一部として形成される。ラッチポスト１０９は、ラッチ要素１０６の上側縁部に沿って位置し、ラッチノッチ１０８の上面１１３に位置する対応するアンダーカット部（図示せず）と結合する。正常な動作中、ラッチポスト１０９は、ラッチノッチ１０８のアンダーカット部と係合しない。しかし、最も右側の装置（１４Ｒ）のハンドルによって共に接続された２台の装置１２、１４または１４Ｌ、１４Ｒをユーザが運ぶ状況では、ラッチポスト１０９は、ラッチ要素１０６の意図しない解除を阻止する。ラッチポスト１０９と表面１１３のアンダーカットとが無いならば、このような意図しない解除は、最も左側の装置（１４Ｌまたは１２）を、取り付けから解放させ、かつ落下させる。しかし、ラッチポスト１０９があれば、２台の装置（１２と１４Ｒ、または１４Ｌと１４Ｒ）が、最も右側の装置（１４Ｒ）のハンドルだけによって持ち上げられたときに、ラッチ要素１０６は、ラッチノッチ１０８の対応するアンダーカット部と結合するので、わずかな相対運動だけが、２台の装置の間で許容される。
【００３５】
図２Ｂ、図４、および図５Ａにおいて最もよく分かるように、同様に、第１の医療装置１４Ｌのブロッキング要素１１２は、第２の医療装置１４Ｒの側壁１７Ｌに当接し、第１の医療装置１４Ｌの移動プレート１１０の移動を妨げる。よって、第１の医療装置１４Ｌのラッチ要素１０６は、同様に移動が妨げられ、これは、任意のさらなる医療装置が、第１の医療装置１４Ｌの側壁１７Ｌに連結されることを同様に阻止する。
【００３６】
よって、第２の医療装置１４Ｒのブロッキング要素１１２と、第１の医療装置１４Ｌのラッチ要素１０６は共に、第１の装置１４Ｌおよび第２の装置１４Ｒが取り付けられたならば、第３の医療装置１２または１４が、第１の医療装置１４Ｌまたは第２の医療装置１４Ｒのいずれかに取り付けられることを阻止する、ブロッキング手段として作用する。第３の医療装置１２または１４の接続を阻止するこのブロッキング手段の動作は、支持面２４が、過大な重量を支えることを妨げるか、または、支持面２４をぐらつかせるのに十分な不釣り合いの重量が支持面に置かれることを妨げる。たとえば、支持面２４は、典型的にＩＶスタンドである。図２Ａに示されるように、共に連結された２台の装置１４Ｌ、１４Ｒ（後述されるように、装置１２は装置１４Ｌの代わりに用いられる）は、支持面２４に少し不釣り合いの重量を載せる。共に連結された装置１２および／または１４のうちの２台は、支持面２４をぐらつかせるために十分な重量を持たない。しかし、第３の医療装置１２または１４が取り付けられたならば、支持面２４をぐらつかせるために十分な不釣り合いの重量が存在する可能性がある。よって、ブロッキング手段は、ユーザが、支持面２４から、接続された医療装置１２または１４を過剰に多く吊るす危険を防止する。
【００３７】
第１の医療装置１４Ｌと第２の医療装置１４Ｒを切り離すことが望ましいとき、第２の医療装置１４Ｒ上の解除要素１１６が、ユーザによって作動される。解除要素１１６は、タブ１１８を含み、タブ１１８は、移動プレート１１０とその表面１２２で接触させるため、ユーザが、解除要素とタブ１１８から延びるベース１２０とを手動で作動させることを可能にする。解除要素１１６は、ベース１２０とハウジング１６Ａとの間に動作可能に入れられ、解除要素１１６を下向きに付勢する（スプリングまたはその他の類似した装置のような）付勢手段１２１をさらに含む。解除要素１１６が作動されるとき、ベース１２０は、移動プレート１１０をシフトさせ、第２の医療装置１４Ｒのラッチ要素１０６を、第１の医療装置１４Ｌの対応するラッチノッチ１０８から切り離す。これが行われるとき、ユーザは、第２の医療装置１４Ｒの雄型結合可能要素１０４を、第１の医療装置１４Ｌの対応する雌型結合可能要素１０２から切り離すことが可能である。
【００３８】
図２Ｂ、図４、および図５Ａにおいて最もよく分かるように、第１の医療装置１４Ｌだけが、支持構造体２４に取り付けられると、支持構造体２４は、ロッキング要素８８の支持接触要素９０を押す。支持接触要素９０上の圧力は、ロッキング要素８８の全体を動かし、よって、移動ピン９２を移動プレート１１０の方へ移動させる。移動ピン９２は、移動プレート１１０の対応するピンスロット１２４の部分を係合し、移動プレート１１０を制限された移動範囲に固定する。ピンスロット１２４は、移動プレート１１０に穴として示されているが、移動プレート１１０に凹部として形成してもよい。しかし、その他のロッキング要素の構成が利用される場合、ピンスロット１２４は、必須構成要素ではないことがある。たとえば、ロッキング要素８８は、医療装置１４の移動プレート１１０に摩擦力だけを印加できることが考えられる。この場合、ピンスロット１２４は、必要とされないであろう。
【００３９】
ピンスロット１２４は、２台の装置が連結され（図２Ａおよび図２Ｂ）、装置１４Ｌが支持構造体２４に取り付けられる場合であっても、移動ピン９２を収容するように方向付けられかつ配置される。この状況では、装置１４Ｒの移動プレート１１０は、装置１４Ｒのラッチ要素１０６が、いずれかの装置１２または１４Ｌの対応するラッチノッチ１０８に係合されるとき、僅かに変位させられる。
【００４０】
ロッキング要素８８が、移動プレート１１０を、制限された移動範囲に固定すると、ラッチ要素１０６は、医療装置１４Ｌの側壁１７Ｌ内のラッチポート１０７を通る延長された位置に留まる。第１の医療装置１４Ｌの制限され延長されたラッチ要素１０６は、任意のさらなる医療装置が、第１の医療装置１４Ｌの側壁１７Ｌに連結されることを妨げる。よって、ラッチ要素１０６を固定するロッキング要素８８は、第１の医療装置１４Ｌが支持構造体２４に既に固定されていたときに、第２の医療装置１４Ｒの取り付けを、第１の医療装置１４Ｌの側壁１７Ｒだけに制限する、選択手段として作用する。したがって、別個の第１の医療装置１４Ｌが、支持構造体２４に固定されていたとき、別の装置（たとえば、第２の医療装置１４Ｒ）の任意の取り付けが、所定の側面、すなわち第１の医療装置１４Ｌの側壁１７Ｒだけに行われることが分かる。
【００４１】
第２の医療装置１４Ｒの取り付けを、第１の医療装置１４Ｌの一方の側面だけに制限する選択手段のこの動作は、第２の医療装置１４Ｒが、既に支持構造体２４に固定された第１の医療装置１４Ｌに取り付けられているとき、作業者の混乱の可能性を減少させる。例えば、第１の医療装置１４Ｌが、画定された第１および第２のチャネルまたはポンプ機構体を有する医療ポンプである場合、第１の医療装置１４Ｌが、単独で支持構造体２４に取り付けられると、第１および第２のチャネルがある場所に関する混乱はほとんどない。典型的に、第１のチャネルは、側壁１７Ｌの近くにあり、第２のチャネルは、側壁１７Ｒの近くにあり、ユーザインタフェースタッチスクリーン２０は、第１のチャネルと第２のチャネルとの間に配置される。しかし、第３および第４のチャネルを画定した第２の医療装置１４Ｒが、第１の医療装置１４Ｌに後で付加される場合、側壁１７Ｌに隣接する第２の医療装置１４Ｒの配置は、ユーザ混乱の可能性を高める。このような場合、装置１４Ｌ、１４Ｒの組は、第３のチャネル、第４のチャネル、第１のチャネル、そして第２のチャネルという順番に、左から右へ連なる一連のチャネルを有する。本発明の医療装置システム１０、１０Ａの使用中に、このようなチャネルの混乱を避けるため、選択手段は、第２の医療装置１４Ｒの取り付けを、第１の医療装置１４Ｌの側壁１７Ｒだけに制限し、その結果、左から右へ連なるチャネルは、第１のチャネル、第２のチャネル、第３のチャネル、そして第４のチャネルという順番を有する。
【００４２】
図１Ａ、図２Ａ、および図５Ａにおいて最もよく分かるように、医療装置を相互接続する上記のシステム１０Ａは、同じ相互接続可能な構成を有する任意の装置１４と動作可能であるが、システム１０の装置１２と動作するようにも構成される。図５Ａおよび図５Ｂから見て最もよく理解されるように、携帯用医療装置１２は、装置１４と類似したいくつかの特徴を含むので、装置１２および１４は、共に連結可能である。しかし、装置１４において見られる複数の構成要素（ラッチポート１０７、移動プレート１１０、ブロッキングポート１１４、および解除要素１１６）は、装置１２に含まれない。この構成は、ユーザが２台の装置１２、１４を区別することを可能にし、望ましくない配置および組み合わせを阻止し、さらに装置１４に比べて装置１２の信頼性を改善するだけでなく、製造コストを削減する。
【００４３】
特に、装置１２は、側壁１７Ｒの単一の結合可能要素１０２を含む。単一の結合可能要素１０２は、装置１４からの対応する雄型Ｔスライド１０４と結合する、雌型Ｔスロットとして形成される。装置１２は、装置１４からの対応するラッチ要素１０６と結合する、ラッチノッチ１０８をさらに含む。
【００４４】
しかし、装置１４とは異なり、装置１２は、その反対側の側壁１７Ｌに、任意の他の医療装置１２または１４に接続する要素を持たない。装置１２の一方の側壁１７Ｌのこの要素の欠如によって、装置１２は、第１の装置１２が支持部２４に固定されたときを含めて、第２の医療装置１４が、第１の装置１２の左に取り付けられることを防ぐ。よって、装置１２の一方の側壁１７Ｌの要素の欠如は、第２の医療装置１４の取り付けを、第１の医療装置１２の両側面のうちの一方だけに制限する選択手段として作用する。
【００４５】
第１の装置１２の一方の側壁１７Ｌの要素の欠如は、同様に任意の装置１２または１４が、第１の装置１２のその側壁１７Ｌへ取り付けられることを防ぐ。第１の装置１２のラッチノッチ１０８は、同様に第３の医療装置１２または１４が第２の装置１４に連結されることを防ぐため、第２の装置１４上のブロッキング要素１１２を作動するように作用する。このように要素の欠如は、第１および第２の医療装置１２、１４が互いに取り付けられると、第３の医療装置１２または１４が、第１または第２のいずれかの医療装置に取り付けられることを妨げるブロッキング手段として作用する。
【００４６】
図１Ａ、図１Ｂ、図２Ａ、および図２Ｂにおいて最もよく分かるように、医療装置１２、１４それぞれは、少なくとも１台のトランシーバ１２６を含む。医療装置１２には、結合可能要素１０２が上に配置された装置１２の側面１７Ｒに位置する、１台のトランシーバ１２６が設けられる。各医療装置１４には、装置１４の各側面１７Ｌおよび１７Ｒに１台のトランシーバ１２６が設けられる。第１の医療装置１４Ｌの側面１７Ｒに置かれたトランシーバ１２６（図示せず）は、医療装置１４Ｌ、１４Ｒが取り付けられると、医療装置１４Ｌ、１４Ｒの間の通信のため第２の医療装置１４Ｒの側面１７Ｌに置かれた対応するトランシーバ１２６と揃えられる。揃えられたトランシーバ１２６は、医療装置１４Ｌ、１４Ｒが互いに通信することを可能にする。トランシーバ１２６は、揃えられると、無線通信に適合するか、または、物理的に互いに接触してよい。トランシーバ１２６は、赤外線、ブルートゥース、または無線周波を含むが、それらに限定されない種々のタイプからなることができる。たとえば、揃えられたトランシーバ１２６は、医療装置１４Ｌ、１４Ｒがアクティビティを同期させること、および／または、時間、患者情報、使用中の薬物、圧力、フローデータ、総注入体積、および、過去の記録情報を含むが、それらに限定されないデータを共有することを可能にする。
【００４７】
図６において最もよく分かるように、本発明の代替的なクランプ機構体２２２は、実質的に剛性のあるクランプ本体２２６を有し、クランプ本体２２６は、ポンプハウジング１６または１６Ａ（図示せず）に旋回可能に、好ましくは着脱可能に取り付けられ、ポール（図示せず）を収容するポール収容スロット２２８を含む。クランプ本体２２６は、ポール収容スロット２２８を少なくとも部分的に取り囲む、ほぼ対向する第１の顎形部分２３０および第２の顎形部分２３２を画定する。
【００４８】
クランプシャフト２３４は、第１の顎形部分２３０に可動式に搭載される。クランプシャフト２３４は、両端２３６、２３８と、それらの間のラチェット部２４０とを有する。第１の顎形部分２３０は、その中に形成された穴２４２を有し、より好ましくは、それを通して、ブッシング２４３と、クランプシャフト２３４のラチェット部２４０とを収容する。クランプシャフト２３４の遠位端２３６は、第１の顎形部分２３０から第２の顎形部分２３２へ向かって延びる。圧力パッド２４４は、遠位端２３６に接続し、より好ましくは、遠位端２３６に取り付けられる。クランプシャフト２３４の近位端２３８は、変位手段２４６を有する。（スプリングまたはその他の類似した装置のような）付勢手段２６６は、第１の顎形部分２３０とクランプシャフト２３４との間に動作可能に入れられる。蛇腹要素２７０は、クランプシャフト２３４と付勢手段２６６を取り囲む。
【００４９】
選択的に解除可能な位置決め手段、すなわち移動制御手段２５６は、第１の顎形部分２３０に可動式に搭載される。移動制御手段２５６は、解除レバー２５８を含み、解除レバー２５８は、クランプシャフト３４のラチェット部２４０を結合係合するように構成された少なくとも１つの爪２５９と、爪２５９をラチェット部２４０と係合させる付勢手段とを有する。解除レバー２５８と爪２５９は、単一の本体として示されているが、解除レバー２５８と爪２５９は、別個の部品として設けてもよいことが理解されるであろう。解除レバー２５８は、第１の顎形部分２３０の穴２６０に隣接して位置決めされる。解除レバー２５８は、ピン２６１によって第１の顎形部分２３０に旋回可能に搭載される。爪２５９は、ポール収容スロット２２８の内において、穴２４２の外端で第１の顎形部分２３０の外側に位置決めされる。爪２５９は、通常は、（スプリングまたはその他の類似した装置のような）付勢手段２６４によって付勢され、クランプシャフト２３４のラチェット部２４０と結合係合し、付勢手段２６４は、穴２６０内に位置決めされ、解除レバー２５８と第１の顎形部分２３０との間に動作可能に入れられる。
【００５０】
動作中、移動制御手段２５６は、通常は、ポール収容スロット２２８から遠ざかる方向へのクランプシャフト２３４の軸方向運動を妨げるように構成されかつ配置される。移動制御手段２５６は、さらに、ユーザが、付勢手段２６４の付勢力に打ち勝つために十分な軸方向力をクランプシャフト２３４に加えることを可能にし、開口するポール収容スロット２２８へ向かう方向での、クランプシャフト２３４のスライドラチェット軸方向運動を可能にする。
【００５１】
代替的に、一部の適用では、軸方向力がクランプシャフト２３４へ不注意に加えられるならば、クランプシャフト２３４のスライドラチェット軸方向運動を阻止することが望ましい。この場合、付勢手段２６４は、ユーザが移動制御手段２５６をさらに停止状態にすることなく、クランプシャフト２３４への通常のユーザ力が、クランプシャフト２３４のスライドラチェット軸方向運動を引き起こすことを阻止するために、十分なスプリング力を有するように選択される。
【００５２】
したがって、本発明は、２台の医療装置が共に連結されることだけを可能にする、インターロック可能な携帯用医療装置の改良されたシステムを提供することが分かる。本発明は、インターロック可能な携帯用医療装置の改良されたシステムをさらに提供する。その上、本発明は、クランプ機構体が支持部材に取り付けられたときに、第２の医療装置の取り付けを第１の医療装置の一方の側面だけに制限する、医療装置を支持部材に取り付ける、改良されたクランプ機構体を提供する。最後に、本発明は、クランプシャフトの迅速なスライドラチェット軸方向運動を可能にする、改良されたクランプ機構体を提供する。
【００５３】
したがって、本発明は、上記の目的の少なくともすべてを達成することが分かる。
【図１Ａ】
2010259835.tif 000003
【図１Ｂ】
2010259835.tif 000004
【図２Ａ】
2010259835.tif 000005
【図２Ｂ】
2010259835.tif 000006
【図３Ａ】
2010259835.tif 000007
【図３Ｂ】
2010259835.tif 000008
【図４】
2010259835.tif 000009
【図５Ａ】
2010259835.tif 000010
【図５Ｂ】
2010259835.tif 000011
【図６】
2010259835.tif 000012
【手続補正書】
【提出日】平成22年8月20日(2010.8.20)
【手続補正１】
【補正対象書類名】特許請求の範囲
【補正対象項目名】全文
【補正方法】変更
【補正の内容】
【特許請求の範囲】
【請求項１】
医療装置を支持部材に搭載するクランプ機構体であって、
第１の顎形部分、第２の顎形部分、および支持部材を収容するように構成された第１の顎形部分と第２の顎形部分との間の開口部を画定する、クランプ本体と、
開口部に延びる前端、後端、および長手軸を有しかつクランプ本体の第１の顎形部分の軸方向運動のため搭載された中間部を含む、クランプシャフトと、
クランプシャフトの中間部とクランプ本体との間に動作可能に入れられ、かつラチェット歯および爪を備える、ラチェットおよび爪手段と、
爪およびラチェット歯を付勢力で柔軟に係合させる、付勢手段とを備え、
付勢手段、ラチェット歯、および爪が、開口部へ向かう方向におけるクランプシャフトのスライドラチェット軸方向運動を可能にするために、付勢手段の付勢力に打ち勝つため十分に足りる軸方向力をクランプシャフトに印加すると、通常は、開口部から遠ざかる方向でクランプシャフトの軸方向運動に対抗するように構成されかつ配置される、クランプ機構体。
【請求項２】
クランプ本体が、ロッキング要素を摺動的に収容する穴を有し、ロッキング要素は、クランプ本体が支持部材に付けられるときに、医療装置の構成要素に力を印加するように構成される、請求項１に記載のクランプ機構体。
【請求項３】
第１の顎形部分および第２の顎形部分が動かない、請求項１に記載のクランプ機構体。
【請求項４】
クランプ本体の第１の顎形部分が、クランプシャフトを摺動的に収容するクランプシャフト収容孔を有する、請求項１に記載のクランプ機構体。
【請求項５】
ラチェット歯が、クランプシャフトの中間部に形成された雄ネジであり、雄ネジが、クランプシャフトの長手軸と鋭角をなすため後方に延びる前方リード逃げ面と、クランプシャフトの長手軸と垂直に延びる後方ロード逃げ面とを有する、請求項１に記載のクランプ機構体。
【請求項６】
付勢手段の付勢力に打ち勝ち、かつ爪とラチェット歯を外し、それによって、開口部から遠ざかる方向にクランプシャフトの軸方向運動を可能にする、解除機構体をさらに備える、請求項１に記載のクランプ機構体。
【請求項７】
解除機構体と爪手段が単一の本体である、請求項６に記載のクランプ機構体。
【請求項８】
第１の顎形部分が、解除孔を第１の顎形部分内に有し、解除機構体が、解除孔に摺動的に搭載された細長いピンである、請求項６に記載のクランプ機構体。
【請求項９】
解除機構体が、該解除機構体を通って延在しクランプシャフトを収容する調節スロットを有し、クランプシャフトのラチェット部が、外径をもつネジを有し、調節スロットが、クランプシャフト上のネジの外径より大きい長さを有し、爪が、クランプシャフトのラチェット部を結合係合するネジをその上に有する調節スロットの壁の一部分である、請求項６に記載のクランプ機構体。
【請求項１０】
クランプシャフトの第２の端に取り付けられたハンドノブをさらに備える、請求項１に記載のクランプ機構体。
【請求項１１】
ハンドノブとクランプシャフトとの間に動作可能に入れられるクラッチ機構体をさらに備え、該クラッチ機構体が、所定のトルク値を超えるクランプシャフトのポールへの過剰締め付けを防止するように構成される、請求項１０に記載のクランプ機構体。
【請求項１２】
クランプ機構体が、医療装置と回転可能に結合されるように構成される、請求項１に記載のクランプ機構体。
【請求項１３】
クランプ機構体が、ピボットラッチを含み、該ピボットラッチが、医療装置に対する複数の回転位置のうちの選択位置に、クランプ機構体を選択的にロックするように構成される、請求項１２に記載のクランプ機構体。
【請求項１４】
医療装置を支持部材に搭載するクランプ機構体であって、
第１の顎形部分、第２の顎形部分、および支持部材を収容するように構成された第１の顎形部分と第２の顎形部分との間の開口部を画定する、クランプ本体と、
開口部に延びる前端、後端、および長手軸を有しかつクランプ本体の第１の顎形部分の上の軸方向運動のため搭載された中間部を含む、クランプシャフトと、
クランプシャフトの中間部とクランプ本体との間に動作可能に入れられ、かつラチェット歯および爪を備える、ラチェットおよび爪手段と、
爪およびラチェット歯を付勢力で柔軟に係合させる、付勢手段とを備え、
付勢手段、ラチェット歯、および爪は、通常は、開口部から遠ざかる方向でクランプシャフトの軸方向運動に対抗するように構成されかつ配置され、
クランプ機構体がさらに、
付勢手段の付勢力に打ち勝ち、かつ爪およびラチェット歯を外し、それによって、開口部から遠ざかる方向でクランプシャフトの軸方向運動を可能にする、解除機構体を備え、
解除機構体と爪手段が単一の本体である、クランプ機構体。
【請求項１５】
ラチェット歯が、クランプシャフトの中間部に形成された雄ネジである、請求項１４に記載のクランプ機構体。
【請求項１６】
雄ネジが、クランプシャフトの長手軸と鋭角をなすため後方に延びる前方リード逃げ面と、クランプシャフトの長手軸と垂直に延びる後方ロード逃げ面とを有する、請求項１５に記載のクランプ機構体。
【請求項１７】
クランプ本体の第１の顎形部分が、クランプシャフトを摺動的に収容するクランプシャフト収容孔を有する、請求項１４に記載のクランプ機構体。
【請求項１８】
第１の顎形部分が、解除孔を第１の顎形部分内に有し、解除機構体が、解除孔に摺動的に搭載された細長いピンである、請求項１４に記載のクランプ機構体。
【請求項１９】
解除機構体が、クランプシャフトを収容するために解除機構体を通って延在する調節スロットを有し、クランプシャフトのラチェット部が、外径をもつネジを有し、調節スロットが、クランプシャフト上のネジの外径より大きい長さを有し、爪が、クランプシャフトのラチェット部を結合係合するネジをその上に有する調節スロットの壁の一部分である、請求項１４に記載のクランプ機構体。
【請求項２０】
解除機構体が、第１の顎形部分に旋回可能に搭載された解除レバーを含む、請求項１４に記載のクランプ機構体。
【請求項２１】
解除レバーおよび爪手段を含む解除機構体が、第１の顎形部分の外側に位置する、請求項２０に記載のクランプ機構体。
【請求項２２】
クランプシャフトの第２の端に取り付けられたハンドノブをさらに備える、請求項１４に記載のクランプ機構体。
【請求項２３】
ハンドノブとクランプシャフトとの間に動作可能に入れられたクラッチ機構体をさらに備え、該クラッチ機構体が、所定のトルク値を超えるクランプシャフトのポールへの過剰締め付けを防止するように構成される、請求項２２に記載のクランプ機構体。
【請求項２４】
クラッチ機構体が、医療装置と回転可能に結合されるように構成される、請求項１４に記載のクランプ機構体。
【請求項２５】
クランプ機構体が、ピボットラッチを含み、該ピボットラッチが、医療装置に対する複数の回転位置のうちの選択位置に、クランプ機構体を選択的にロックするように構成される、請求項２４に記載のクランプ機構体。
【外国語明細書】
2010259835.tif 000013
2010259835.tif 000014
2010259835.tif 000015
2010259835.tif 000016
2010259835.tif 000017
2010259835.tif 000018
2010259835.tif 000019
2010259835.tif 000020
2010259835.tif 000021
2010259835.tif 000022
2010259835.tif 000023
2010259835.tif 000024
2010259835.tif 000025
2010259835.tif 000026
2010259835.tif 000027
2010259835.tif 000028
2010259835.tif 000029
2010259835.tif 000030
2010259835.tif 000031
2010259835.tif 000032
2010259835.tif 000033
2010259835.tif 000034
2010259835.tif 000035
2010259835.tif 000036
2010259835.tif 000037
2010259835.tif 000038
2010259835.tif 000039
2010259835.tif 000040
2010259835.tif 000041
2010259835.tif 000042
2010259835.tif 000043
2010259835.tif 000044
2010259835.tif 000045
2010259835.tif 000046
2010259835.tif 000047
2010259835.tif 000048
2010259835.tif 000049
2010259835.tif 000050
2010259835.tif 000051
2010259835.tif 000052
2010259835.tif 000053
2010259835.tif 000054
2010259835.tif 000055
2010259835.tif 000056
2010259835.tif 000057
2010259835.tif 000058
2010259835.tif 000059